(57)【特許請求の範囲】
【請求項１】
大径部（１１）と小径部（１２）との間に形成されたテーパ形状の段部であってエンジンの被取付部に密着してシールを行うためのテーパ部（１５）を外周面に有する筒状のスパークプラグ用主体金具（１０）において、前記テーパ部の形成を冷間鍛造加工により行うようにしたスパークプラグ用主体金具製造方法であって、
前記冷間鍛造加工は、
大径部及び小径部の境界がテーパ形状の座面（６７）をなす段付内孔（６４）を備える第１成形型（６１）を用意し、この第１成形型の段付内孔に柱状の素材（８）を保持しつつ、第１パンチ部材（７１）によって前記素材を軸方向に沿って押圧して変形させることにより、
一端側の端面に開口する大径穴（２４）を有して該一端側に位置する大径頭部（２１）、この大径頭部よりも外径が小さく他端側に位置する小径脚部（２２）、及び前記大径頭部と前記小径脚部との境界に位置してテーパ形状を有する第１テーパ部（２３）を備える段付柱状の第１被加工部材（２０）を形成する第１工程と、
大径部及び小径部の境界が前記第１テーパ部のテーパ角度Ａよりも大きいテーパ角度Ｂを持つテーパ形状の座面（６８）をなす段付内孔（６５）を備える第２成形型（６２）と、外径が前記第１被加工部材における小径脚部の外径よりも大きい第２パンチ部材（７２）とを用意し、
前記第２成形型の段付内孔に前記第１被加工部材を保持しつつ、前記第２パンチ部材を前記第１被加工部材における大径穴へ挿入し、前記第２パンチ部材によって前記第１被加工部材を軸方向に沿って押圧して、前記第１テーパ部を前記第２成形型の座面に沿って変形させることにより、前記テーパ角度Ｂを持つ第２テーパ部（３３）を備える段付柱状の第２被加工部材（３０）を形成する第２工程と、
大径部及び小径部の境界が前記第２テーパ部のテーパ角度Ｂよりも小さいテーパ角度Ｃを持つテーパ形状の座面（６９）をなす段付内孔（６６）を備える第３成形型（６３）と、先端部（７３ｂ）の外径が前記第２被加工部材における小径脚部（３２）の外径よりも小さい第３パンチ部材（７３）とを用意し、
前記第３成形型の段付内孔に前記第２被加工部材を保持しつつ、前記第３パンチ部材を前記第２被加工部材における大径穴（３４）へ挿入し、前記第３のパンチ部材によって前記第２被加工部材を軸方向に沿って押圧して、前記第２テーパ部を前記第３成形型の座面に沿って変形させることにより、前記テーパ角度Ｃを持つ第３テーパ部（４３）を備える段付柱状の第３被加工部材（４０）を形成する第３工程と、
を実行するものであり、
前記第２成形型、前記第３成形型はそれぞれ、上型（６２ａ、６３ａ）と下型（６２ｂ、６３ｂ）とが合致したものであって、前記第２成形型における前記上型（６２ａ）と前記下型（６２ｂ）との間、前記第３成形型における前記上型（６３ａ）と前記下型（６３ｂ）との間に、それぞれ冷間鍛造用油を排出するための油逃がし溝（Ｍ１）が設けられていることを特徴とするスパークプラグ用主体金具の製造方法。
【請求項２】
前記第３工程において、前記第３テーパ部（４３）を形成した後、前記第３パンチ部材（７３）の押圧方向とは反対方向へ、前記第３成形型（６３）を押圧することにより、前記第３テーパ部と前記第３成形型の座面（６９）とを当接させた状態を維持することを特徴とする請求項１に記載のスパークプラグ用主体金具の製造方法。
【請求項３】
前記第２工程において、前記テーパ角度Ｂは前記テーパ角度Ａよりも１°〜１０°大きいことを特徴とする請求項１または２に記載のスパークプラグ用主体金具の製造方法。
【請求項４】
前記第３工程において、前記テーパ角度Ｃはテーパ角度Ｂよりも０．５°〜５°小さいことを特徴とする請求項１ないし３のいずれか１つに記載のスパークプラグ用主体金具の製造方法。
【請求項５】
前記第１、第２及び第３成形型（６１〜６３）は、それぞれの前記座面（６７〜６９）の近傍にて分離可能な分割型（６１ａ〜６３ａ、６１ｂ〜６３ｂ）を合致させたものであることを特徴とする請求項１ないし４のいずれか１つに記載のスパークプラグ用主体金具の製造方法。
【発明の詳細な説明】
【０００１】
【発明の属する技術分野】
本発明は、自動車等に搭載された内燃機関に組み付けられるスパークプラグ用主体金具の製造方法に関する。
【０００２】
【従来の技術】
従来の一般的なスパークプラグ用主体金具の製造方法を図９に示す。ここで、図９（ａ）〜（ｆ）の被加工部材Ｊ１〜Ｊ６は、例えば特開平７−１６６９３号公報に記載されているような金型（ダイス）とパンチ部材による冷間鍛造加工を用いた製造方法の採用によって形成できる。
【０００３】
即ち、冷間鍛造加工により柱状の素材Ｊ１から段付柱状の部材Ｊ２を形成し、次に、大径穴が形成された大径頭部Ｊ８及び小径穴が形成された小径脚部Ｊ９を有する部材Ｊ３を形成し、大径頭部Ｊ８及び小径脚部Ｊ９を伸長させていくことで、順次、部材Ｊ４、部材Ｊ５を形成し、続いて、部材内部を貫通させることで部材Ｊ６を形成する。
【０００４】
そして、この部材Ｊ６における大径部と小径部との間の段部Ｊ１０に切削加工を施すことにより、図９（ｇ）に示す様に、テーパ部Ｊ１１を形成し、また、転造によってネジ部Ｊ１２を形成し、これをもって最終製造物である主体金具Ｊ７が形成される。この主体金具Ｊ７はネジ部Ｊ１２を介してエンジンヘッド（被取付部）に固定されるとともに、テーパ部Ｊ１１をエンジンヘッドに密着させて、プラグとエンジンヘッドとのシール性を確保するものである。
【０００５】
【発明が解決しようとする課題】
しかしながら、この切削加工により形成されるテーパ部は、冷間鍛造成形品の二次加工によるものであるため、安定した形状を得るには、頻繁な工程チェック及び刃具交換が必要である。このようにして、テーパ部の角度、軸の振れ、表面粗度を確保しているのが現状であり、切削機械の刃具が寿命に近づくと、完成品の精度が悪くなるという問題があった。また、近年、主体金具の製造において、コストダウン及びテーパ部の管理の容易化、形状の安定化といった要望がある。
【０００６】
そこで、本発明者等は、上記の諸問題を解決すべく、テーパ部までを冷間鍛造加工により一体に成形することを考えた。しかしながら、冷間鍛造によりテーパ部を加工するにあたっては、成形型（金型）とテーパ部との間に冷間鍛造用の潤滑油が介在するため、この潤滑油が成形後のテーパ部の表面を変形させる等、所望のテーパ形状が得られない恐れがある。
【０００７】
本発明は上記問題に鑑みてなされたものであり、シールを行うためのテーパ部を外周面に有する筒状のスパークプラグ用主体金具において、該テーパ部を冷間鍛造加工により所望の形状に形成可能なスパークプラグ用主体金具の製造方法を提供することを目的とする。
【０００８】
【課題を解決するための手段】
上記目的を達成するため、請求項１〜請求項５記載の発明では、大径部（１１）と小径部（１２）との間に形成されたテーパ形状の段部であってエンジンの被取付部に密着してシールを行うためのテーパ部（１５）を外周面に有する筒状のスパークプラグ用主体金具（１０）において、前記テーパ部の形成を冷間鍛造加工により行うようにしたスパークプラグ用主体金具製造方法であって、前記冷間鍛造加工を以下の各工程を実行するものとしたことを特徴としている。
【０００９】
（ａ）大径部及び小径部の境界がテーパ形状の座面（６７）をなす段付内孔（６４）を備える第１成形型（６１）を用意し、この第１成形型の段付内孔に柱状の素材（８）を保持しつつ、第１パンチ部材（７１）によって前記素材を軸方向に沿って押圧して変形させることにより、一端側の端面に開口する大径穴（２４）を有して該一端側に位置する大径頭部（２１）、この大径頭部よりも外径が小さく他端側に位置する小径脚部（２２）、及び大径頭部と小径脚部との境界に位置してテーパ形状を有する第１テーパ部（２３）を備える段付柱状の第１被加工部材（２０）を形成する第１工程。
【００１０】
（ｂ）大径部及び小径部の境界が第１テーパ部のテーパ角度Ａよりも大きいテーパ角度Ｂを持つテーパ形状の座面（６８）をなす段付内孔（６５）を備える第２成形型（６２）と、外径が第１被加工部材における小径脚部の外径よりも大きい第２パンチ部材（７２）とを用意し、この第２成形型の段付内孔に第１被加工部材を保持しつつ、第２パンチ部材を第１被加工部材における大径穴（２４）へ挿入し、第２パンチ部材によって第１被加工部材を軸方向に沿って押圧して、第１テーパ部を第２成形型の座面に沿って変形させることにより、テーパ角度Ｂを持つ第２テーパ部（３３）を備える段付柱状の第２被加工部材（３０）を形成する第２工程。
【００１１】
（ｃ）大径部及び小径部の境界が第２テーパ部のテーパ角度Ｂよりも小さいテーパ角度Ｃを持つテーパ形状の座面（６９）をなす段付内孔（６６）を備える第３成形型（６３）と、先端部（７３ｂ）の外径が第２被加工部材における小径脚部（３２）の外径よりも小さい第３パンチ部材（７３）とを用意し、第３成形型の段付内孔に第２被加工部材を保持しつつ、第３パンチ部材を第２被加工部材における大径穴（３４）へ挿入し、第３のパンチ部材によって第２被加工部材を軸方向に沿って押圧して、第２テーパ部を第３成形型の座面に沿って変形させることにより、テーパ角度Ｃを持つ第３テーパ部（４３）を備える段付柱状の第３被加工部材（４０）を形成する第３工程。
【００１２】
ここで、上記テーパ角度Ａ、Ｂ、Ｃは、後述する図５及び図６に示す様に、各加工部材及び各段付内孔の軸方向を０°としたとき、各加工部材の外周面及び各段付内孔の内周面における該軸方向からの傾き角度である。そして、さらに本発明では、第２成形型、第３成形型はそれぞれ、上型（６２ａ、６３ａ）と下型（６２ｂ、６３ｂ）とが合致したものであって、第２成形型における上型（６２ａ）と下型（６２ｂ）との間、第３成形型における上型（６３ａ）と下型（６３ｂ）との間に、それぞれ冷間鍛造用油を排出するための油逃がし溝（Ｍ１）を設けている。
【００１３】
本発明によれば、テーパ部加工の第１工程によって、テーパ角度Ａを持つ第１テーパ部（２３）を備える段付柱状の第１被加工部材（２０）が形成される。そして、次の第２工程によって、この第１テーパ部を第２成形型（６２）の段付内孔（６５）における座面（６８）（以下、第２座面という）に沿って変形させるのであるが、このとき、第２座面は第１テーパ部のテーパ角度Ａよりも大きいテーパ角度Ｂを有する。
【００１４】
そのため、軸方向断面でみたとき、図５に示す様に、第１テーパ部（２３）は、まず第２座面（６８）の軸に近い部分（６８ａ）に当接し、第１テーパ部の変形に伴って軸から離れた方向へ当接部分が広がっていく。それにより、第１テーパ部と第２座面との間に滞在していた冷鍛用の潤滑油が外方へ押し出されていくため、第１テーパ部と第２座面との間で潤滑油の滞留が無く、最終的にテーパ部の表面を平滑に維持できる。
【００１５】
もし、テーパ角度Ａとテーパ角度Ｂとが同一の場合には、第１テーパ部と第２座面とは、初めから全面が当接してしまうため、潤滑油が逃げ切れず滞留してしまい、所望のテーパ面を得ることができない。また、テーパ角度Ａがテーパ角度Ｂよりも大きい場合には、潤滑油が滞留してしまうことは明らかである。
【００１６】
そして、テーパ部加工の第３工程では、第２テーパ部（３３）を第３成形型（６３）の段付内孔（６６）における座面（６９）（以下、第３座面という）に沿って変形させるのであるが、このとき、第３座面は第２テーパ部のテーパ角度Ｂよりも小さいテーパ角度Ｃを有する。
【００１７】
ここで、上記第２工程では、図５に示す様に、外径が第１被加工部材（２０）の小径脚部（２２）の外径よりも大きい第２パンチ部材（７２）を用いているため、第１被加工部材にかかる押圧力は第１テーパ部（２３）に直接加えられる。しかし、第３工程では、図６に示す様に、先端部（７３ｂ）の外径が第２被加工部材（３０）の小径脚部（３２）の外径よりも小さい第３パンチ部材（７３）を用いているため、第２被加工部材にかかる押圧力は第２被加工部材の小径脚部に直接加えられ、第２テーパ部（３３）には直接加えられない。
【００１８】
そして、この小径脚部の変形に引きずられて第２テーパ部が延びるように変形していき、最終的なテーパ部としての第３テーパ部（４３）が形成されるのである。このように、第３工程においては、テーパ部の押圧形態が第２工程とは異なるため、テーパ角度Ｃがテーパ角度Ｂより小さくても潤滑油が滞留しにくくなっている。
【００１９】
以上のように、本発明によれば、成形型とテーパ部との間に冷間鍛造用の潤滑油が介在することによるテーパ部の変形を防止できるため、テーパ部を冷間鍛造加工により所望の形状に形成可能なスパークプラグ用主体金具の製造方法を提供することができる。なお、各座面に沿って形成される各テーパ部は、完全に各座面のテーパ角度と同一でなくともよく、製造上の誤差を含んでもよい。つまり、各テーパ部は、対応する各座面の角度と略同一となるように形成されればよい。
【００２０】
また、請求項２記載の発明では、上記第３工程において、第３テーパ部（４３）を形成した後、第３パンチ部材（７３）の押圧方向とは反対方向へ第３成形型（６３）を押圧することにより、第３テーパ部と第３座面（６９）とを当接させた状態を維持することを特徴としている。
【００２１】
第３テーパ部の形成完了と同時に、第３パンチ部材の押圧を停止することは難しく、第３テーパ部の形成終了後も、しばらくは第３パンチ部材の押圧は続く。そのため、この押圧によって第３テーパ部と第３座面との当接状態が崩れ、第３テーパ部が変形する可能性がある。その点、請求項２の発明によれば、そのような問題を回避でき、より安定してテーパ形状を所望形状に形成できる。
【００２２】
ここで、請求項３記載の発明のように、上記第２工程において、テーパ角度Ｂはテーパ角度Ａよりも１°〜１０°大きいことが好ましい。これは、もし、両テーパ角度Ａ及びＢの差が１°よりも小なる場合には潤滑油が逃げにくく、両テーパ角度Ａ及びＢの差が１０°よりも大なる場合には第１テーパ部と第２座面との間に滞在する潤滑油の量が大量となって排出しにくくなるためである。
【００２３】
また、請求項４記載の発明のように、上記第３工程において、テーパ角度Ｃはテーパ角度Ｂよりも０．５°〜５°小さいことが好ましい。これは、もし、両テーパ角度Ｂ及びＣの差が０．５°よりも小なる場合には、変形していく第２テーパ部が第３パンチ部材の押圧により切断される恐れがあり、また、両テーパ角度Ｂ及びＣの差が５°よりも大なる場合には第２テーパ部と第３座面との間に滞在する潤滑油の量が大量となって排出しにくくなるためである。
【００２４】
なお、上記各手段の括弧内の符号は、後述する実施形態に記載の具体的手段との対応関係を示す一例である。
【００２５】
【発明の実施の形態】
以下、本発明を図に示す実施形態について説明する。図１は本実施形態に係るスパークプラグ用主体金具１０の完成品形状を示す半断面図、図２は主体金具１０を組み付けたスパークプラグ１の全体構成を示す半断面図である。
【００２６】
主体金具１０は一端側に大径部１１、他端側に大径部１１よりも外径の小さい小径部１２を有する段付筒状をなし、導電性の鉄鋼材料（例えば低炭素鋼等）等よりなる。小径部１２の外周面にはエンジンヘッド（図示せず）に設けられたネジ穴（図示せず）へネジ結合するためのネジ部１３、大径部１１の外周面にはネジ結合の際に軸力を加えるための六角部１４が軸回りに形成されている。
【００２７】
また、主体金具１０の外周面において、大径部１１と小径部１２との間には、テーパ形状の段部であるテーパ部（テーパシート部）１５が形成されている。このテーパ部１５は、軸回りに環状に形成されており、上記ネジ結合の軸力により上記ネジ穴の内面に形成されたテーパ状の座面（図示せず）に密着してシールを行うものである。
【００２８】
この主体金具１０を組み付けたスパークプラグにおいては、主体金具１０の内孔に、アルミナセラミック（Ａｌ2Ｏ3）等からなる円筒状の絶縁体２が保持されており、絶縁体２の各端部は、それぞれ、主体金具１０の各端部から露出している。ここで、主体金具１０の一端部は、絶縁体２に形成された段部に対してパッキン２ａを介してかしめられ固定されている。
【００２９】
絶縁体２の内孔２ｂには、円柱状の中心電極３およびステム部４が保持されている。中心電極３の先端部３ａは、絶縁体２の内孔２ｂから露出し、中心電極３の後端部は、内孔２ｂ内にてステム部４と電気的に接続されている。また、主体金具１０の一端部には、接地電極５が溶接等により固定されている。この接地電極５は途中で略Ｌ字に曲げられて、溶接部分とは反対の部位にて中心電極３の先端部３ａと放電ギャップ６を隔てて対向している。
【００３０】
次に、本実施形態に係る冷間鍛造による主体金具の製造方法について、図３及び図４を参照して述べる。図３は、主体金具１０における冷間鍛造工程毎の加工状態を示す図であり、図１の断面に対応した断面にて示してある。まず、図３（ａ）に示す様に、例えば低炭素鋼よりなる円柱状金属素材を冷間鍛造成形機の第１ステーション（図示せず）内に挿入して、すえ込み成形することにより、円形状の弾丸状の鍛造品７を得る。鍛造品７の下端面の外周縁には円弧状のコーナー７ａが成形される。
【００３１】
次に、鍛造品７を冷間鍛造成形機の第２ステーション（図示せず）内に挿入して、押出し成形することにより、図３（ｂ）に示す鍛造品８を得る。なお、鍛造品８の上端面には大穴８ａが成形され、下端面には小穴８ｂが成形される。また、鍛造品８には、上端側に円形状の頭部８ｃ、下端側に頭部８ｃよりも小さい外径で円形状の脚部８ｄが成形される。そして、頭部８ｃと脚部８ｄとの間には段部８ｅが成形される。この鍛造品８は本発明でいう柱状の素材に相当する。
【００３２】
次に、本実施形態の主要工程である冷間鍛造によるテーパ部の形成を行う。図４はこの主要工程を示す説明図であり、（ａ）は冷間鍛造成形機の第３ステーション、（ｂ）は冷間鍛造成形機の第４ステーション、（ｃ）は冷間鍛造成形機の第５ステーション、の各々主要部断面を示す。なお、これら（ａ）〜（ｃ）において、被加工部材２０、３０、４０は成形終了段階にて示してある。
【００３３】
ここで、図４（ａ）〜（ｃ）において、６１、６２、６３は、それぞれ第１成形ダイ（第１成形型）、第２成形ダイ（第２成形型）、第３成形ダイ（第３成形型）であり、これら各成形ダイ６１〜６３において、６１ａ、６２ａ、６３ａはそれぞれ上型、６１ｂ、６２ｂ、６３ｂはそれぞれ下型である。各成形ダイ６１〜６３は、分離可能なこれら上型と下型とを合致させたものである。
【００３４】
各成形ダイ６１〜６３は、それぞれ被加工部材が挿入される段付内孔６４、６５、６６を有している。これら段付内孔６４〜６６は、上型６１ａ〜６３ａと下型６１ｂ〜６３ｂを貫通して形成され、上型側に大径部、下型側に小径部が形成されている。そして、各段付内孔６４〜６６においては、大径部及び小径部の境界にはテーパ形状の座面（テーパ座面）６７、６８、６９が形成されている。
【００３５】
ここで、座面（第１座面）６７はテーパ角度Ａ（第１テーパ角度Ａ）、座面（第２座面）６８はテーパ角度Ｂ（第２テーパ角度Ｂ）、座面（第３座面）６９はテーパ角度Ｃ（第３テーパ角度Ｃ）、というように互いに異なるテーパ角度を有し、第２テーパ角度Ｂは第１テーパ角度Ａよりも大きく、第３テーパ角度Ｃは第２テーパ角度Ｂよりも小さい。これら各テーパ角度は、例えばＡ＝５８°、Ｂ＝６４°、Ｃ＝６３°、とできる。
【００３６】
また、図４（ａ）〜（ｃ）において、７１、７２、７３は、それぞれ被加工部材を押圧する第１パンチ（第１パンチ部材）、第２パンチ（第２パンチ部材）、第３パンチ（第３パンチ部材）であり、図中の上下方向に可動となっており、成形ダイ内の被加工部材を軸方向に押圧するようになっている。
【００３７】
なお、８０は、被加工部材を支持して段付内孔６４〜６６内に保持するためのピン（マンドレル）であり、９０は、被加工部材の全長を位置決めするとともに、成形終了後に被加工部材を成形ダイから排出するためのキックアウトスリーブである。また、１００は各成形ダイ６１〜６３を保持するためのダイホルダーである。また、図５等に示す様に、各成形ダイにおける上型と下型との境界には、冷間鍛造用の潤滑油を排出するための油逃げ溝（排出孔）Ｍ１が設けられている。
【００３８】
また、冷間鍛造成形機の第５ステーションにおいては、図４（ｃ）に示す様に、可動機構１１０、１２０を有する。１１０はスプリング、１２０はスプリングを支持するスプリングガイドであり、第３成形ダイ６３は、スプリング１１０の弾性力によって第３パンチ７３の挿入方向と反対方向（図中の上方）へ付勢されるようになっている。
【００３９】
（テーパ部冷間鍛造加工の第１工程）上記図３（ｂ）に示す鍛造品（柱状の素材）８を、第１成形ダイ６１の段付内孔６４内に保持しつつ、第１パンチ７１によって鍛造品８を軸方向に沿って押圧して変形させる（図４（ａ）参照）。ここで、段付内孔６４において、大径部は、上記六角部１４を形成するための六角大径部６４ａを有する。それにより、図３（ｃ）に示す段付柱状の第１被加工部材２０を形成する。
【００４０】
この第１被加工部材２０は、一端側に位置する大径頭部２１と大径頭部２１よりも外径が小さく他端側に位置する小径脚部２２と、大径頭部２１と小径脚部２２との境界に位置してテーパ形状を有する第１テーパ部２３とを備える。大径頭部２１は、一端側の端面に開口する大径穴２４を有し、小径脚部２２は、他端側の端面に開口し大径穴２４よりも内径の小さい小径穴２５を有する。また、大径頭部２１には最終的に六角部１４となる六角大径部２６が形成されている。そして、第１テーパ部２３のテーパ角度は、第１成形ダイ６１における座面（第１座面）６７と略同じであり、第１テーパ角度Ａとなっている。
【００４１】
（テーパ部冷間鍛造加工の第２工程）次に、第１被加工部材２０を、第２成形ダイ６２の段付内孔６５に保持しつつ、第２パンチ７２を第１被加工部材２０の大径穴２４へ挿入し、第２パンチ７２によって第１被加工部材２０を軸方向に沿って押圧して、第１テーパ部２３を、第２成形ダイ６２における座面（第２座面）６８に沿って上記第１テーパ角度Ａからそれよりも大きい第２テーパ角度Ｂとなるように変形させる（図４（ｂ）参照）。ここで、第２パンチ７２の外径は、第１被加工部材２０の大径穴２４の径に対応し且つ小径脚部２２の外径よりも大きいものとしている。
【００４２】
こうして、図３（ｄ）に示す段付柱状の第２被加工部材３０を形成する。第２パンチ７２の押圧により上記第１被加工部材２０における大径頭部及び小径脚部は軸方向に押し出されて伸長するため、この第２被加工部材３０の大径頭部３１、小径脚部３２、大径穴３４、及び小径穴３５は、上記第１被加工部材２０のものに比べて寸法的に変形したものとなっている。また、大径頭部３１と小径脚部３２との間の第２テーパ部３３のテーパ角度は、第２座面６８と同じであり、第２テーパ角度Ｂとなっている。
【００４３】
（テーパ部冷間鍛造加工の第３工程）次に、第２被加工部材３０を、第３成形ダイ６３の段付内孔６６に保持しつつ、第３パンチ７３をその先端部より第２被加工部材３０の大径穴３４へ挿入し、第３パンチ７３によって第２被加工部材３０を軸方向に沿って押圧して、第２テーパ部３３を第３成形ダイ６３における座面（第３座面）６９に沿って上記第２テーパ角度Ｂからそれよりも小さい第３テーパ角度Ｃとなるように変形させる（図４（ｃ）参照）。
【００４４】
ここで、第３パンチ７３は、第２被加工部材３０の大径穴３４と略同等の径を持つ径大部７３ａと径大部７３ａよりも小径で径大部７３ａの先端に設けられた径小部（先端部）７３ｂとを有する。更に、この径小部（先端部）７３ｂの外径を、第２被加工部材３０の小径脚部３２の外径よりも小さいものとしている。つまり、径小部７３ｂは、押圧に伴い第２被加工部材３０の小径脚部３２内部へ挿入可能となっている。
【００４５】
こうして、図３（ｅ）に示す段付柱状の第３被加工部材４０を形成する。第３パンチ７３の押圧により上記第２被加工部材３０における大径頭部、小径脚部は軸方向に押し出されて伸長するため、この第３被加工部材４０の大径頭部４１、小径脚部４２、大径穴４４、及び小径穴４５は、上記第２被加工部材３０のものに比べて寸法的に変形したものとなっている。また、大径頭部４１と小径脚部４２との間の第３テーパ部４３のテーパ角度は、第３座面６９と略同じであり、第３テーパ角度Ｃとなっている。
【００４６】
ここで、図５〜図８を用いて上記テーパ部冷間鍛造加工の第２および第３工程をより詳細に説明する。図５は、該第２工程の説明図であり、一点鎖線の左側は第２工程における初期段階を、右側は終了段階を示す。第２工程において、初期段階では、第１工程によって形成された第１被加工部材２０の第１テーパ部２３が、第２成形ダイ６２の第２座面６８に当接する。
【００４７】
この時、第１テーパ部２３は、第１工程によって第１テーパ角度Ａになるように形成されており、かつ、第２座面６８のテーパ角度は、第１テーパ部２３のテーパ角度Ａよりも大きい第２テーパ角度Ｂとなっている。そのため、図５の左側に示す様に、第２工程の初期段階では、第１テーパ部２３は、第２座面６８の内側角部６８ａのみにて当接することとなる。
【００４８】
そして、図５の右側に示す様に、第１被加工部材２０が冷鍛されるに従い、当初第２座面６８の内側角部６８ａのみに当接していた第１テーパ部２３は、その内側より外側にかけて徐々に、第２座面６８に沿ったテーパ形状に加工される。この加工に従い、第１テーパ部２３と第２座面６８との間に滞在していた冷鍛用の潤滑油は、第１テーパ部２３の変形に従って内側より外側に押し出され、最終的には、第２成形ダイ６２に設けられた油逃げ溝Ｍ１より排出される。
【００４９】
このようにして、潤滑油が第１被加工部材２０の変形によって押し出されるため、第１テーパ部２３において、潤滑油が滞在されず、ひいては、最終的に形成されたテーパ部１５の平滑面を保つことができるという効果を有する。
【００５０】
これが、もし、第１テーパ角度Ａと第２テーパ角度Ｂが同一であると、第１被加工部材２０の冷鍛時には、はじめから、第２座面６８に第１テーパ部２３の全面が当接してしまい、潤滑油が逃げきれず、第１テーパ部２３と第２座面６８との間に滞留し、好ましい第２テーパ部３３を有する第２被加工部材３０を得ることができない。また、第１テーパ角度Ａが第２テーパ角度Ｂよりも大である場合には、上記効果を有しないことは明らかである。
【００５１】
また、このテーパ角度ＡとＢの差は１°〜１０°が好ましい。もし、当該差が1 °よりも小である場合には、潤滑油が逃げる時間がなく、上記したテーパ部と座面との間に滞留してしまう。また、当該差が１０°よりも大である場合には、上記したテーパ部と座面との間に滞留する潤滑油が大量となってしまいすべての油を排出することができない。
【００５２】
次に、図６及び図７は、上記第３工程の説明図であり、図６中の一点鎖線の左側は第３工程における初期段階を、図６中の右側及び図７中の一点鎖線の左側は途中段階を、図７中の右側は第３テーパ部形成後の段階を示す。図６における第２被加工部材３０の第２テーパ部３３のテーパ角度は、第２テーパ角度Ｂである。また、第３工程における第３成形ダイ６３の第３座面６９のテーパ角度は、第２テーパ角度Ｂよりも小さい第３テーパ角度Ｃである。この第３テーパ角度Ｃは、最終加工物のテーパ角度と略同一の角度をなしている。
【００５３】
図６の左側に示す様に、第３工程の初期段階において、第２被加工部材３０の第２テーパ部３３は、第３成形ダイ６３における第３座面６９の外側角部６９ａと当接する。そして、加工が開始されると、第３パンチ７３によって第２被加工部材３０が変形を開始し、第２テーパ部３３も第３座面６９に沿って変形する。この場合、第３テーパ角度Ｃが第２テーパ角度Ｂよりも小であるので、第２被加工部材３０は、その小径脚部（リーチ部）３２を伸長すべく、大径頭部（胴部）３１の素材を小径脚部３２に送り込みやすくなる。
【００５４】
ここで、第３テーパ角度Ｃと第２テーパ角度Ｂとの差は、０．５°〜５°が好ましい。このテーパ角度の差が０．５°よりも小の場合、第２及び第３テーパ角度が同一である場合には、第３パンチ７３の挿入により、第３座面６９と第３パンチ７３の径小部７３ｂとの問において、強いせん断応力が生じ、第２被加工部材３０の小径脚部（リーチ部）３２の根元部が切断される恐れが生じる。また、このテーパ角度の差が５°よりも大である場合には、第３座面６９と第２テーパ部３３との間に潤滑油がたまりすぎ、平滑面を有するテーパ部を形成することができないという問題が生じる。
【００５５】
また、もし、第３テーパ角度Ｃが第２テーパ角度Ｂよりも大である場合には、第３パンチ７３の径小部７３ｂが小径脚部（リーチ部）３２の径よりも小であるために、第３パンチ７３の押圧時、第２テーパ部３３と第３座面６９との間にかかる力の始点は、図６中に示す外側角部６９ａとは逆の内側角部６９ｂとなる。そのため、第２被加工部材３０の第２テーパ部３３にかかる力の支点よりも外側においては、変形が困難となり、所望のテーパ形状を得ることができないという問題が生じる。
【００５６】
ここで、なぜ、第２工程においては、被加工部材の第１テーパ角度Ａが座面の第２テーパ角度Ｂよりも小でなければならなかったのに、第３工程ではそうではないのか？その理由は、パンチの先端径による。即ち、第２工程では、図５に示す様に、第２パンチ７２の先端径は、第１被加工部材２０の小径脚部（リーチ部）２２の径よりも大であるため、第１被加工部材２０にかかる押圧力（抑圧力）は、第１テーパ部２３に直接加えられる。
【００５７】
しかし、第３工程では、第３パンチ７３の径小部（先端部）７３ｂの径が、第２被加工部材３０の小径脚部（リーチ部）３２の径よりも小であるため、第２被加工部材３０にかかる押圧力（抑圧力）は、第２テーパ部３３に直接加えられない。
【００５８】
そして、第２テーパ部３３は、小径脚部３２の変形に引きずられて延びるように変形していき、最終的なテーパ部としての第３テーパ角度Ｃを有する第３テーパ部４３が形成されるのである。このように、第３工程においては、テーパ部の押圧形態が第２工程とは異なるため、第３テーパ角度Ｃが第２テーパ角度Ｂより小さくても潤滑油が滞留しにくくなっている。それゆえ、両工程にて最適なテーパ角の関係が異なることとなる。
【００５９】
さらに、第３パンチ７３によって第３テーパ部４３が形成された後も、図７の右側図のように、第３テーパ部４３が第３成形ダイ６３における第３座面６９に当接されながら、第３パンチ７３がさらに挿入されることとなる。この時、上記の可動機構１１０、１２０によって、第３パンチ部材７３の押圧方向とは反対方向へ、第３成形ダイ６３を押圧することにより、常に、第３座面６９が、形成された第３テーパ部４３に当接した状態を維持するようになっている。
【００６０】
これは、第３テーパ部４３の形成完了と同時に、第３パンチ７３の押圧を停止することは難しく、また、主体金具１０におけるネジ部１３となるリーチ部を形成するため、第３テーパ部４３の形成終了後も、しばらくは第３パンチ７３の押圧（挿入）は続く。もし、上記可動機構が無いと、図８に示す様に、第３パンチ７３の先端が第３テーパ部４３を通過する際に、第３パンチ７３の押圧（抑圧）によってテーパ部４３と座面６９の間に空間が生じ、大径頭部３１がパンチ挿入方向と反対方向へ伸びるに従い、テーパ部４３にふくらみＫ１が発生するためである。
【００６１】
こうして、上記第１〜第３工程を経て、最終的なテーパ部に相当する第３テーパ部４３を有する第３被加工部材４０を形成する。次に、冷間鍛造成形機の第６ステーション（図示せず）内に挿入して、打ち抜き加工を行うことにより、第３被加工部材４０の大径穴４４と小径穴４５とを貫通させ、図３（ｆ）に示す様に、大径部及び小径部の間に第３テーパ部４３を有し且つ貫通穴５０ａを有する鍛造品５０を得る。
【００６２】
そして、この鍛造品５０における小径脚部に対して転造によりネジ部１３を形成し、これをもって、上記図１に示したような最終製造物である主体金具１０を形成する。この主体金具１０は、接地電極５を溶接するとともに、上述したように、中心電極３を内包する絶縁体２の外周にかしめ固定される。こうして、上記図２に示すスパークプラグ１が組み付けられる。
【００６３】
以上のように、本実施形態によれば、テーパ部冷鍛加工の第１〜第３工程において、各々、被加工部材と座面とのテーパ角度を工夫した成形型を用いて、いわゆる押出し成形とすえ込み成形との複合成形を行うことにより、成形型とテーパ部との間に冷間鍛造用の潤滑油が介在することによるテーパ部の変形を防止できるため、テーパ部を冷間鍛造加工により所望の形状に形成可能なスパークプラグ用主体金具の製造方法を提供することができる。
【００６４】
また、従来の主体金具のテーパ部は切削加工にて形成されていたため、テーパ表面に切削工具の跡が残り、結果として面の平滑化に制約があったが、本実施形態によれば、テーパ部を冷間鍛造加工により形成しているため、そのような工具の跡は残らず、テーパ表面の面粗度を向上でき、結果的に、テーパ部のシール性能を向上できる。
【図面の簡単な説明】
【図１】本発明の実施形態に係るスパークプラグ用主体金具を示す半断面図である。
【図２】図１に示す主体金具を組み付けたスパークプラグの半断面図である。
【図３】図１に示す主体金具の冷間鍛造工程毎の加工状態を示す半断面図である。
【図４】冷間鍛造成形機の主要部断面であり、（ａ）は第３ステーション、（ｂ）は第４ステーション、（ｃ）は第５ステーションを示す。
【図５】第２テーパ部を形成する第２工程を説明する説明図である。
【図６】第３テーパ部を形成する第３工程を説明する説明図である。
【図７】図６に続く第３工程を説明する説明図である。
【図８】本実施形態にて可動機構が無い場合の不具合を説明する説明図である。
【図９】従来の主体金具の製造工程毎の加工状態を示す半断面図である。
【符号の説明】
８…鍛造品（柱状の素材）、１０…主体金具、１１…主体金具の大径部、
１２…主体金具の小径部、１５…テーパ部、２０…第１被加工部材、
２１…第１被加工部材の大径頭部、２２…第１被加工部材の小径脚部、
２３…第１テーパ部、２４…第１被加工部材の大径穴、３０…第２被加工部材、
３２…第２被加工部材の小径脚部、３３…第２テーパ部、
３４…第２被加工部材の大径穴、４０…第３被加工部材、４３…第３テーパ部、
６１…第１成形ダイ、６１ａ〜６３ａ…上型、６１ｂ〜６３ｂ…下型、
６２…第２成形ダイ、６３…第３成形ダイ、６４〜６６…段付内孔、
６７…第１成形ダイの座面、６８…第２成形ダイの座面、
６９…第３成形ダイの座面、７１…第１パンチ、７２…第２パンチ、
７３…第３パンチ、７３ｂ…第３パンチの径小部（先端部）。
【図１】
0004147704.tif 000002
【図２】
0004147704.tif 000003
【図３】
0004147704.tif 000004
【図４】
0004147704.tif 000005
【図５】
0004147704.tif 000006
【図６】
0004147704.tif 000007
【図７】
0004147704.tif 000008
【図８】
0004147704.tif 000009
【図９】
0004147704.tif 000010